(57)【要約】      （修正有）【課題】箱体の本体内部に手を挿入し、箱体内部に向けて高速で気流を送ることにより手を乾燥させる手乾燥装置において、無駄がなく適切な風速で運転ができる手乾燥装置を提供する。【解決手段】手乾燥装置本体に距離検知手段９を備え、距離検知手段９に対向した手の各部分との距離を評価手段１４で段階的に評価し、評価結果の「近」、「遠」、「検知なし」に応じて風速制御手段１０が複数組のノズルをそれぞれ切り替えて、「近」の場合は、風速を速くし、「遠」の場合は、風速を遅くし、また、手を検知しない部分では、ノズルから空気を吹き出さないようにすることができる手乾燥装置。【選択図】図２
2013158625.tif 000002
【特許請求の範囲】
【請求項１】
上部に向かって開口した挿入口から手を抜き差しできる乾燥室と、前記乾燥室内の底部の水受け部と、前記乾燥室に空気を送出する送風手段と、開口を小さくすることで風速を速くした第一のノズルと、開口を大きくすることで前記第一のノズルより風速を遅くした第二のノズルで構成し、前記挿入口の長手方向の面に対向して複数組を配置して、挿入された手に空気を噴出する複数組のノズルと、前記複数組のノズルに合わせて配置して、前記乾燥室内に挿入された手の各部分との距離をそれぞれ検知する距離検知手段と、前記距離検知手段から得た距離を段階的に評価する距離判定部と、前記複数組のノズルをそれぞれ切り替えて、乾燥室に噴出する空気の風速を制御する風速制御手段と、前記距離判定部の評価に基づいて前記風速制御手段を駆動する風速制御部とを備えた手乾燥装置。
【請求項２】
距離判定部は、距離検知手段に対向した手の各部分との距離と予め設定された基準とを比較し、その結果を「近」、「遠」、「検知なし」の３段階で評価する評価手段を備え、風速制御部により、前記評価の結果が「近」の場合は、複数組の第一のノズルを閉じ、第二のノズルを開けることにより、風速を遅くし、「遠」の場合は、前記複数組の第一のノズルを開け、第二のノズルを閉じることにより、風速を速くし、「検知なし」の場合は、前記複数組の第一のノズルと第二のノズルとを閉じることにより、ノズルから空気を吹き出さないように風速制御手段を駆動することを特徴とする請求項１に記載の手乾燥装置。
【発明の詳細な説明】
【技術分野】
【０００１】
本発明は、洗浄後の濡れた手に風を当てて乾燥させる手乾燥装置に関するものである。
【背景技術】
【０００２】
従来、この種の手乾燥装置は、箱体の本体内部に手を挿入し、箱体内部に向けて高速で気流を送ることにより、手を乾燥させるものが知られている（例えば、特許文献１を参照）。
【先行技術文献】
【特許文献】
【０００３】
【特許文献１】特開平１１−１７８７４４号公報
【発明の概要】
【発明が解決しようとする課題】
【０００４】
従来の手乾燥装置においては、手検知のない部分も風が噴出してしまう場合があった。また、距離によらず、同じ風速で噴出しているため、効率よく乾燥することができなかった。
【０００５】
そこで本発明は、上記従来の課題を解決するものであり、距離検知手段に対向した手の各部分との距離と予め設定された基準とを評価し、評価結果によって風速を決定することで、距離に応じて風速を制御し、無駄がなく、適切な風速で運転をし、効率よく乾燥することができる手乾燥装置を提供することを目的とする。
【課題を解決するための手段】
【０００６】
そして、この目的を達成するために、本発明は、上部に向かって開口した挿入口から手を抜き差しできる乾燥室と、前記乾燥室内の底部の水受け部と、前記乾燥室に空気を送出する送風手段と、開口を小さくすることで風速を速くした第一のノズルと、開口を大きくすることで前記第一のノズルより風速を遅くした第二のノズルで構成し、前記挿入口の長手方向の面に対向して複数組を配置して、挿入された手に空気を噴出する複数組のノズルと、前記複数組のノズルに合わせて配置して、前記乾燥室内に挿入された手の各部分との距離をそれぞれ検知する距離検知手段と、前記距離検知手段から得た距離を段階的に評価する距離判定部と、前記複数組のノズルをそれぞれ切り替えて、乾燥室に噴出する空気の風速を制御する風速制御手段と、前記距離判定部の評価に基づいて前記風速制御手段を駆動する風速制御部とを備えた手乾燥装置としたものであり、これにより所期の目的を達成するものである。
【発明の効果】
【０００７】
本発明によれば、手乾燥装置本体に挿入された手と本体の前面および背面との距離を判別する距離判定部を備え、運転開始時に距離判定部で距離を段階的に評価し、評価結果によって風速を決定することで、距離に応じて風速を制御し、無駄がなく、適切な風速で運転をし、効率よく乾燥し、水滴飛散の勢いを減少させるという効果を奏する。
【図面の簡単な説明】
【０００８】
【図１】本発明の実施の形態の手乾燥装置の構成を示す図
【図２】同実施の形態の手乾燥装置の構成を示すブロック図
【図３】同実施の形態の手乾燥装置の風速制御手段の動作を示す図（（ａ）風速を減少させる動作を示す図、（ｂ）風速を増加させる動作を示す図、（ｃ）送風をしないときの動作を示す図）
【発明を実施するための形態】
【０００９】
本発明の請求項１記載の手乾燥装置は、上部に向かって開口した挿入口から手を抜き差しできる乾燥室と、前記乾燥室内の底部の水受け部と、前記乾燥室に空気を送出する送風手段と、開口を小さくすることで風速を速くした第一のノズルと、開口を大きくすることで前記第一のノズルより風速を遅くした第二のノズルで構成し、前記挿入口の長手方向の面に対向して複数組を配置して、挿入された手に空気を噴出する複数組のノズルと、前記複数組のノズルに合わせて配置して、前記乾燥室内に挿入された手の各部分との距離をそれぞれ検知する距離検知手段と、前記距離検知手段から得た距離を段階的に評価する距離判定部と、前記複数組のノズルをそれぞれ切り替えて、乾燥室に噴出する空気の風速を制御する風速制御手段と、前記距離判定部の評価に基づいて前記風速制御手段を駆動する風速制御部とを備えた構成を有する。
【００１０】
これにより、距離検知手段は、手が挿入されると、手の各部分との距離を検知し、距離判定部は、距離検知手段に対向した手の各部分との距離を段階的に評価し、風速制御部は、送風手段を駆動するとともに、距離判定部の評価に基づいて風速制御手段を駆動し、風速制御手段は、複数組のノズルにおいて、第一のノズルと第二のノズルの切り替えをそれぞれすることにより風速を制御するので、無駄がなく、適切な風速で運転をし、効率よく乾燥し、水滴飛散の勢いを減少させるという効果を奏する。
【００１１】
また、距離判定部は、距離検知手段に対向した手の各部分との距離と予め設定された基準とを比較し、その結果を「近」、「遠」、「検知なし」の３段階で評価する評価手段を備え、風速制御部により、前記評価の結果が「近」の場合は、複数組の第一のノズルを閉じ、第二のノズルを開けることにより、風速を遅くし、「遠」の場合は、前記複数組の第一のノズルを開け、第二のノズルを閉じることにより、風速を速くし、「検知なし」の場合は、前記複数組の第一のノズルと第二のノズルとを閉じることにより、ノズルから空気を吹き出さないように風速制御手段を駆動するという構成を有する。
【００１２】
これにより、評価手段は、挿入された手の各部分との距離と予め設定された基準とを比較し、評価結果を「近」、「遠」、「検知なし」に評価し、この評価に応じて風速制御手段が風速を制御するため、挿入された手の各部分とそれに合わせた距離検知手段との距離が近い場合では、風速を速くし、遠い場合では、風速を遅くし、また、手を検知しない部分では、風を送らないことにより、無駄がなく、適切な風速で運転をし、効率よく乾燥し、水滴飛散の勢いを減少させるという効果を奏する。
【００１３】
以下、本発明の実施の形態について図面を参照しながら説明する。
【００１４】
（実施の形態１）
図１は、本発明実施の形態における手乾燥装置の構成を表す図である。
【００１５】
図１に示すように、手乾燥装置本体１は、上部に向かって開口した挿入口２と挿入口２から手を抜き差しできる乾燥室３とを備えている。乾燥室３の底部には、乾燥室３内に飛散した水を受ける水受部４を備えている。手乾燥装置本体１の内部には、空気を送出する送風手段としての電動送風機５と、挿入口２には長手方向の面に対向して複数組を配置して、挿入された手に空気を噴出するノズル６を備えている。
【００１６】
ノズル６は、開口を小さくすることで風速を速くした第一のノズル７と、開口を大きくすることで第一のノズル７より風速を遅くし、第一のノズル７より下方に配置した第二のノズル８とで構成している。また、ノズル６に合わせて、挿入口２に挿入された手の各部分との距離を検知する距離検知手段９を配置している。さらに、ノズル６のそれぞれに対応させて切り替えて、乾燥室３に噴出する空気の風速を制御する風速制御手段１０を配置している。
【００１７】
風速制御手段１０は、挿入された手の各部分と距離検知手段９との距離と予め設定された基準とを評価し、その結果を「近」、「遠」、「検知なし」の３段階で段階的に評価し、この評価に応じて電動送風機５を駆動するとともに、第一のノズル７と第二のノズル８の切り替えをすることにより風速を制御するものである。
【００１８】
距離検知手段９は、例えば、超音波センサにより、センサヘッドから超音波を発信し、手（各センサに対向させた部分のみ）で反射してくる超音波を再度センサヘッドで受信し、この音波の発信から受信までの時間を計測することで手とセンサヘッドとの距離を計測するものである。
【００１９】
図２は、本発明実施の形態における手乾燥装置の構成を表すブロック図である。
【００２０】
図２に示すように、制御部１３は、距離検知手段９から得た情報により距離を判別する距離判定部１１と、距離判定部１１の結果に基づいて風速制御手段１０を駆動する風速制御部１２とを備えている。
【００２１】
距離判定部１１は、距離検知手段９に対向した手の各部分との距離と予め設定された基準とを評価し、その結果を「近」、「遠」、「検知なし」の３段階で評価する評価手段１４を備えている。
【００２２】
また、風速制御部１２は評価手段１４の評価の結果に基づいて、風速制御手段１０を駆動させる。風速制御手段１０は、シャッター板１５と、シャッター板１５を上下にスライド移動させるモータとを備えている。評価手段１４の評価結果に基づいて、風速を制御させるものである。
【００２３】
図３は、本発明実施の形態における手乾燥装置の風速制御手段の動作を示す図である。
【００２４】
図３に示すように、風速制御手段１０は、開口を小さくすることで風速を速くした第一のノズル７二つと、開口を大きくすることで第一のノズル７より風速を遅くした第二のノズル８一つとを合わせて配置するものである。図３（ａ）に示すように、「近」の場合は、シャッター板１５を上方にスライドすることで、第一のノズル７を閉じ、第二のノズル８を開けることにより、風速を遅くするものである。また、図３（ｂ）に示すように、「遠」の場合は、シャッター板１５を下方にスライドすることで、第一のノズル７を開け、第二のノズル８を閉じることにより、風速を速くするものである。さらに、図３（ｃ）に示すように、「検知なし」の場合は、シャッター板１５をスライドすることなく、第一のノズル７と第二のノズル８とを閉じるものである。
【００２５】
このような構成によれば、距離検知手段９は、手が挿入されると、手の各部分との距離を検知し、距離判定部１１は、距離検知手段９に対向した手の各部分との距離を評価手段１４によって、挿入された手の各部分と距離検知手段９との距離と予め設定された基準とを評価し、評価結果を「近」、「遠」、「検知なし」の３段階で段階的に評価し、風速制御部１２は、電動送風機５を駆動するとともに、距離判定部１１の評価に基づいて風速制御手段１０を駆動し、第一のノズル７と第二のノズル８の切り替えをすることにより風速を制御するため、適切な風速で運転をし、効率よく乾燥し、水滴飛散の勢いを減少させるという効果を奏する。
【００２６】
また、挿入された手とノズルが平行の場合でも掌に凹凸がある。
【００２７】
例えば、親指および掌の親指の下の膨らんでいる部分は他の部分に比べて、ノズルに近い。そこで、評価手段１４が「近」と判断して、風速制御手段１０としてのシャッター板１５を上方にスライドすることにより、第一のノズル７を閉じ、第二のノズル８を開けることとなり、風速を遅くすることができる。
【００２８】
他の部分は、ノズルに遠い。そこで、評価手段１４が「遠」と判断して、シャッター板１５を下方にスライドすることにより、第一のノズル７を開け、第二のノズル８を閉じることとなり、風速を速くすることができる。
【００２９】
つまり、手の形状に合わせた送風ができる。
【００３０】
また、手の大きさが人によってまちまちであるため、検知しない部分が出てくる。検知なしの場合では、シャッター板１５の切り替えを行わず、ノズル６を閉じたままにすることとなり、ノズル６から空気を吹き出さないようにすることができ、無駄なく乾燥させるという効果を奏する。
【００３１】
以上のように、挿入された手の各部分の距離と予め設定された基準とを比較し、評価結果の「近」、「遠」、「検知なし」に応じて風速を制御するため、無駄がなく、適切な風速で運転をし、効率よく乾燥し、水滴飛散の勢いを減少させるという効果がある。
【００３２】
なお、本実施の形態において、距離検知手段９として超音波センサを設けたが、赤外線センサやサーモパイルとしても良い。
【産業上の利用可能性】
【００３３】
本発明にかかる手乾燥装置は、挿入された手と本体との距離に応じて運転風速を制御するものであり、洗面所やトイレ等で手を洗い、濡れた手を乾燥させる手乾燥装置として有用である。
【符号の説明】
【００３４】
１    手乾燥装置本体
２    挿入口
３    乾燥室
４    水受部
５    電動送風機
６    ノズル
７    第一のノズル
８    第二のノズル
９    距離検知手段
１０  風速制御手段
１１  距離判定部
１２  風速制御部
１３  制御部
１４  評価手段
１５  シャッター板
【図１】
2013158625.tif 000003
【図２】
2013158625.tif 000004
【図３】
2013158625.tif 000005